(57)【要約】【課題】  デザインに制限を受けることなく優れた装飾性を発揮することのできるピアス用キャッチであり、装着時には容易にかつ確実に装着することができ、強い挟着力を発揮できるピアス用キャッチを提供すること。【解決手段】  ピン通過孔１３を有する基部１２の両端から中央に位置するピン挿入側に向けて略湾曲状に折り返し形成して一対の挟持片１４、１４を形成して金具部材１１を構成する。この金具部材１１を適宜形状に形成した弾性体１６に埋設すると共に、この弾性体１６に少なくともピン通過孔１３に連通するピン挿入孔１８を被挿着ピン２０のピン径より大きい径に形成し、かつ、挟持片１４、１４のピン挟着部１５が位置する弾性体１６の止着部１９をピン挿入孔１８より小さく形成したピアス用キャッチである。【選択図】      図５
2007007025.tif 000002
【特許請求の範囲】
【請求項１】
ピン通過孔を有する基部の両端から中央に位置するピン挿入側に向けて略湾曲状に折り返し形成して一対の挟持片を形成して金具部材を構成し、この金具部材を適宜形状に形成した弾性体に埋設すると共に、この弾性体に少なくとも前記ピン通過孔に連通するピン挿入孔を被挿着ピンのピン径より大きい径に形成し、かつ、前記挟持片のピン挟着部が位置する弾性体の止着部をピン挿入孔より小さく形成したことを特徴とするピアス用キャッチ。
【請求項２】
前記弾性体に貫通形成した挿入部は、前記止着部を除いて被挿着ピンのピン径より大きく形成した請求項１記載のピアス用キャッチ。
【請求項３】
前記止着部を前記挿入部に対して段付穴とした請求項１又は２に記載のピアス用キャッチ。
【請求項４】
前記弾性体は、シリコンゴム等のゴム又は樹脂である請求項１乃至３の何れか１項に記載のピアス用キャッチ。
【請求項５】
ピン通過孔を有する基部の両端から中央に位置するピン挿入側に向けて略湾曲状に折り返し形成して一対の挟持片を形成して金具部材を構成したことを特徴とするピアス用キャッチの構成部品。
【請求項６】
前記一対の挟持片の適宜位置に長さ方向に沿ってリブを形成した請求項５記載のピアス用キャッチの構成部品。
【請求項７】
前記一対の挟持片の巾は、前記基部の両端からピン挟着部に向って順次小さく形成した請求項５又は６記載のピアス用キャッチの構成部品。
【発明の詳細な説明】
【技術分野】
【０００１】
本発明は、耳朶にピアス装飾体を止着するピアス用キャッチに関し、特に、コンパクトなピアス用キャッチとその構成部品に関する。
【背景技術】
【０００２】
従来より、ピアスを耳朶に止着するピアス用キャッチとしては、例えば、図６に示したものがある。このキャッチ体１における金具体２は、例えば、１４金や１８金などを材料として薄く引き延ばし、平坦状の基体部３の両側から張り出すように巻き込み状のバネ部４、４を形成している。基体部３の中央付近には、ピン体８を挿入可能なピン挿入穴５を形成しており、このピン挿入穴５は、ピン体８の外径よりも縮径して設けられている。
金具体２の外周囲には、ゴムなどの弾性部材７を被覆することで一体化したキャッチ体１を設けている。弾性部材７のピン挿入穴５が対応する位置には取付穴６を設けており、この取付穴６にピン体８を挟着できるように、穴径をピン体８の外径よりも小さいストレート状に形成するか、又は、先細りであるピン体８の形状に対応させて緩やかなテーパ状に形成している。
【０００３】
ピアスを耳朶に装着する場合には、図示しない装飾本体を備えたピン体８を図示しない耳朶の装着穴に挿入した状態にし、キャッチ体１のピン挿入穴５にこのピン体８を挿入することでピン体８を挟着して装飾本体を耳朶に装着するようにしている。この種のピアスは古くから愛用され、幅広く慣れ親しまれている。
【０００４】
この種のピアス用キャッチにおいて、挿通孔を備えた基板と、基板の両側よりのびる湾曲部とからなる金属製キャッチ本体に対して、基板の正面のみを露呈させて全体をゴム弾性体にて覆い、基板の中心から湾曲部間を通ってその後方のゴム弾性体にピン挿通孔を形成するようにしたものがある（例えば、特許文献１参照。）。
このピアスイヤリング用キャッチは、金属製キャッチをゴム弾性体で覆うことでキャッチとピアスピンとの挟着力を高めようとしたものである。
【０００５】
また、特許文献２は、装身具用止金具に関するものであり、この止金具は、ピアスキャッチの挟着力を高めるために、挟着部位を特殊な形状に設けたもので、ピン挿入孔を穿孔した基部端部から２以上の係止片を基部に沿って折り返し、この係止片をさらに外方に向かってループ状に折り返して、ピン挿入孔に挿入したピンを係止片により挟持するようにしている。
【０００６】
【特許文献１】特開２００１−１２０３１３号公報
【特許文献２】実公平１−１９８４６号公報
【発明の開示】
【発明が解決しようとする課題】
【０００７】
しかしながら、図６に示したキャッチ体１に利用される一般的な金具体２は、ピン体８を挟着する両側のバネ部４、４に弾性を持たせるために、このバネ部４、４をそれぞれ外側から内側に巻き込むような形状にしており、基体部３から外周方向に大きく張り出すような形状になっているため、弾性部材７を被覆するときにデザインが制限されるという問題があった。金具体２に弾性部材７を被覆する際には、この弾性部材７全体が大きくなるため装飾具全体としての見栄えが悪くなり装飾的価値が低くなっていた。例えば、表面側の装飾本体を小さい貴石とした場合には、この貴石よりもキャッチ体１が大型化し、装着後に貴石からキャッチ体が大きくはみ出して装身具としてのバランスが悪くなることがある。
また、金具体２を形成する際には使用する金属材料が増えるためコストアップとなると共に、キャッチ体１全体が大きくなることにより重さも増え、装着したときに重く感じて不快感を生じることがあった。
【０００８】
また、このピアス用キャッチは、ピン体８を弾性部材７で被覆したときに巻き込み状のバネ部４、４の内部まで弾性部材７が入り込んでしまいこの弾性部材７の発揮できる挟持力が小さくなるため、取付穴６の穴径をストレート状、又はテーパ状に形成して取付穴６にピン体８を挟着するようにしている。このような構造によると、ピン体８を挿入するときにこのピン体８が取付穴６内周面に擦れて摺動抵抗が大きくなり、スムーズに挿入できなくなるという問題があった。
【０００９】
特許文献１のピアスイヤリング用キャッチは、外周囲を樹脂やゴムなどの弾性体で金属部分を被覆してこの金属の露出を抑え、装飾的価値を向上させようとしたものであるが、デザインが制限を受けて見栄えが悪くなって商品的価値が下がったり、ピン挿通孔を狭くする必要があり、特に、基板の正面を露呈させているため、この基板のピン孔を大きくするとピンが外れやすくなるという問題があった。
【００１０】
特許文献２の装身具用止金具は、基部から折り返した係止片を、さらにループ状に折り返して断面略円形状に形成しているため全体的に大きくなり、また、金属部分が露出した態様の装身具となっているため、装飾性に優れているとはいえず、この止金具に弾性体を被覆したとしても、全体を小さく見栄えよく形成することはできない。
【００１１】
本発明は、従来の課題点に鑑みて開発したものであり、その目的とするところは、デザインに制限を受けることなく優れた装飾性を発揮することのできるピアス用キャッチであり、装着時には容易にかつ確実に装着することができ、強い挟着力を発揮できるピアス用キャッチを提供することにある。
【課題を解決するための手段】
【００１２】
上記の目的を達成するため、請求項１に係る発明は、ピン通過孔を有する基部の両端から中央に位置するピン挿入側に向けて略湾曲状に折り返し形成して一対の挟持片を形成して金具部材を構成し、この金具部材を適宜形状に形成した弾性体に埋設すると共に、この弾性体に少なくともピン通過孔に連通するピン挿入孔を被挿着ピンのピン径より大きい径に形成し、かつ、挟持片のピン挟着部が位置する弾性体の止着部をピン挿入孔より小さく形成したピアス用キャッチである。
【００１３】
請求項２に係る発明は、弾性体に貫通形成した挿入部は、止着部を除いて被挿着ピンのピン径より大きく形成したピアス用キャッチである。
【００１４】
請求項３に係る発明は、止着部を挿入部に対して段付穴としたピアス用キャッチである。
【００１５】
請求項４に係る発明は、弾性体は、シリコンゴム等のゴム又は樹脂であるピアス用キャッチである。
【００１６】
請求項５に係る発明は、ピン通過孔を有する基部の両端から中央に位置するピン挿入側に向けて略湾曲状に折り返し形成して一対の挟持片を形成して金具部材を構成したピアス用キャッチの構成部品である。
【００１７】
請求項６に係る発明は、一対の挟持片の適宜位置に長さ方向に沿ってリブを形成したピアス用キャッチの構成部品である。
【００１８】
請求項７に係る発明は、一対の挟持片の巾は、前記基部の両端からピン挟着部に向って順次小さく形成したピアス用キャッチの構成部品である。
【発明の効果】
【００１９】
請求項１に係る発明によると、全体をコンパクトに形成できるためデザインに制限を受けることなく優れた装飾性を発揮することができ、しかも、装着時には、容易に装着でき、装着後には強い挟着力を発揮して確実に装着状態を維持できるピアス用キャッチである。また、軽量化することができるため快適に装着でき、長時間の装着にも違和感を感じることなく優れた装着感が得られるピアス用キャッチである。
【００２０】
請求項２に係る発明によると、被挿着ピンをスムーズにキャッチ本体に挿入でき、ストレスを感じることがなく装着することができるピアス用キャッチである。
【００２１】
請求項３に係る発明によると、挟着力をアップできると共に、装着したときに独特のクリック感が得られるため、装着が完了したことを確認できるピアス用キャッチである。
【００２２】
請求項４に係る発明によると、被挿着ピンを挿入したときに強い力で挟持してこのピンの抜け出しを防ぐことができ、また、キャッチ本体を自由な形状に形成して様々な装飾性を発揮できるピアス用キャッチである。
【００２３】
請求項５に係る発明によると、挟持片に被挿着ピンを挟持する方向に弾発性を持たせながら小さく形成することができ、被挿着ピンを挿着したときには、この挿着状態を確実に維持でき、金属部材単体でキャッチとして使用できるピアス用キャッチの構成部品である。
【００２４】
請求項６に係る発明によると、挟持片の挟持方向への弾発力を更に高めることができ、小さい金具部材でありながら強い挟着力を発揮することのできるピアス用キャッチの構成部品である。
【００２５】
請求項７に係る発明によると、装飾性を失うことなく金具部材全体を小さく形成でき、小さい挟持片により強い挟持力を発揮することができるピアス用キャッチの構成部品である。
【発明を実施するための最良の形態】
【００２６】
本発明におけるピアス用キャッチの一実施形態を図面に基づいて説明する。
図１ないし図５において、金具部材１１は、例えば、１４金や１８金などの貴金属からなる装飾性を有する薄板状の金属を材料として形成し、ピン挿通孔１３を有する基部１２の両側から中央に位置するピン挿入側に向けて略湾曲状に折り返し形成して一対の挟持片１４、１４を形成している。挟持片１４、１４の適宜位置には、図１及び図３に示すように長さ方向に沿ってリブ１４ａ、１４ａを形成しており、また、挟持片１４、１４の巾は、基部１２の両側から被挿着ピン２０を挟持するピン挟着部１５に向って順次小さく形成している。
ピン通過孔１３は、被挿着ピン２０の外径よりも大きく形成し、被挿着ピン２０を容易に挿入できるようにしている。
【００２７】
挟持片１４は、湾曲状に折り返していることにより基部１２の幅よりも小さい幅になるようにしており、これにより、被挿着ピン２０の挿入方向（キャッチ本体１０の装着方向）において、挟持片１４が基部１２よりはみ出すことがないようにしている。
金属部材１１は、例えば、プレス加工によって設けられ、プレス加工時には、先ず全体の外形を打ち抜き、次いで、適宜の折り曲げ手段によって挟持片１４を設けるようにすれば容易に形成できる。プレス加工は、被挿着ピン２０の挿入方向から行うことにより、ピン通過孔１３の挿入縁に図示しないアール周縁部位が自然に形成され、被挿着ピン２０を挿入する際にこのアール周縁部位に先端側がガイドされて容易に挿入可能に設けている。また、このとき図示しない打ち抜き時のかえりが挿入面と反対の面に形成されるため被挿着ピン２０の挿入を妨げることがなく、しかも、このかえりが略筒状となるため挿入時の被挿着ピン２０の外周側を保持して挟持片１４までガイドするようにしている。
【００２８】
弾性体１６は、シリコンゴム等のゴム又は樹脂によって適宜の装飾性を有する形状に形成し、この弾性体１６に金具部材１１を埋設するようにしている。
金具部材１１の埋設時には、先ず、金具部材１１を上述の加工手段によって形成した後に、この金具部材１１を図示しない金型内に装填する。この状態で溶融させた弾性材料を金型内に注入し、金具部材１１を包み込むようにしながら固化させて金具部材１１を弾性体１６に埋設する。このようにしてキャッチ本体１０を形成し、このキャッチ本体１０は、金属の有する剛性や強度などの特性と、樹脂の有する成形容易性や可撓性などの特性を組合わせた特性を有している。
キャッチ本体１０の弾性体１６への埋設は、上述したインサート成形によって行うことができるが、インサート成形以外の適宜の成形手段によって行うようにしてもよい。
【００２９】
弾性体１６には、少なくともピン通過孔１３に連通するピン挿入孔１８を被挿着ピン２０のピン径より大きい径に形成し、かつ弾性体１６の挟持片１４、１４のピン挟着部１５が位置する部分に止着部１９を設けている。この止着部１９は、ピン挿入孔１８より小さい径になるように形成している。
【００３０】
挿入部１７は、弾性体１６に貫通形成しており、この挿入部１７を止着部１９を除いて被挿着ピン２０のピン径より大きく形成している。また、前記止着部１９は、この挿入部１７に対して段付穴とし、挿入部１７よりも縮径状に形成している。
【００３１】
図４、図５における被挿着ピン２０は、適宜の装着長さに形成し、先端部付近の外周囲には縮径状の係止溝２１が形成されている。被挿着ピン２０を挿着する際には、耳朶の図示しないピアス装着孔に挿入した後に、キャッチ本体１０のピン挿入孔１８側よりこの被挿着ピン２０を挿入させると、止着部１９に外周側に形成した係止溝２１が嵌まり込むようにして挿着される。
【００３２】
本実施形態においては、金具本体１１を貴金属によって形成しているが、他の装飾性を有する材料、例えば、貴金属以外の金属材料やプラスチック材料、或はその他の材料によって形成することもできる。また、金具本体１１において、挟持片１４を一対に設けているが、被挿着ピン２０を挟持可能な構成であれば、この係止部を３つ以上形成してもよい。また、この挟持片１４は、基部１２から折り返すように形成しているが、折り返し以外の適宜の手段、例えば、溶着によって基部１２と一体に設けるようにしてもよい。
また、弾性体１６の弾性材料を樹脂又はゴム材料としているが、これら以外を材料として用いるようにしてもよい。その場合、弾性を有する材料を用いるようにする。
【００３３】
次に、本発明のピアス用キャッチの上記実施形態における作用を説明する。
本発明のピアス用キャッチは、ピン通過孔１３を有する基部１２の両端から中央に位置するピン挿入側に向けて略湾曲状に折り返し形成して一対の挟持片１４、１４を形成して金具部材１１を構成しているので、挟持片１４、１４が金具部材１１から外側に張り出すことがない。このため、金具部材１１をコンパクトに形成でき、金具部材１１を弾性体１６に埋設する際には弾性体１６がデザインの制限を受け難く、あらゆる装飾性を有する形状に自由に形成して、ピアス全体の装飾性を向上することができる。これにより、例えば、ピアス表面側に小さい貴石を装飾として設けた場合であっても、この貴石よりもキャッチ本体１０を小さく形成できることで貴石が有する装飾性を妨げることなく耳朶に装着できる。また、挟持片１４付近を被覆している弾性体１６を基部１２を被覆している部分から縮径状に形成することで図４のように段付き形状とし、この段付き部分を摘み部分として使用することもできる。
【００３４】
金具部材１１は、少量の材料によって形成できるため、材料費を減らしてコストを低減できると共に、軽量化できることによって耳朶にかかる負担が減り装着感をアップすることができる。この軽量化は、例えば、外側から内側に巻き込むようにしてバネ部を構成するタイプのキャッチに比較して、約５０％程度まで抑えることができる。
【００３５】
弾性体１６において、少なくともピン通過孔１３に連通するピン挿入孔１８を被挿着ピン２０のピン径より大きい径に形成しているので、被挿着ピン２０を挿入するときにはピン挿入孔１８に容易に挿入を開始することができ、通常手探りによって装着されるピアスの装着を容易にすることができる。さらに、弾性体１６の挿入部１７を止着部１９を除いて被挿着ピン２０のピン径より大きく形成しているので、図５のように被挿着ピン２０を挿入したときに被挿着ピン２０が挿入部１７の内周面に殆ど接触することがなく、摺動抵抗を減らして被挿着ピン２０の挿入をスムーズに行うことができると共に、前記ピン挿入孔１８を被挿着ピン２０より大径に形成しても被挿着ピン２０が外れることがない。
【００３６】
挟持片１４は、略湾曲状に折り返し形成することにより、金属部材１１を弾性体１６に埋設したときにも弾発方向への力が確実に働いて挟持力が減少するのを抑えることができ、被挿着ピン２０を挿入した後に確実にばね性を発揮することができる。このとき、この挟持力に、リブ１４ａを形成したことによる弾性力が加わって被挿着ピン２０を強固に挟持することができ、更に、挟持片１４、１４のピン挟着部１５、１５が位置する弾性体１６の止着部１９をピン挿入孔１８より小さく形成していることにより、被挿着ピン２０が止着部１９に位置したときにこの止着部１９が弾性力を発揮して被挿着ピン２０の係止溝２１を確実に挟持して、更に強い挟持力を発揮することができる。
【００３７】
以上のように、キャッチ本体１０は、金具部材１１を小さく形成して弾性体１６に埋設することで、全体を小さくして装飾価値を高めることができつつも、耳朶に簡単に装着することができ、装着後には強い挟持力を発揮することができる。
【００３８】
また、前述のように、金具部材１１において、挟持片１４の巾をピン挟着部１５に向って順次小さく形成しても、この挟持片１４にリブ１４ａを設けることによって止着部１９側に十分な挟持力を発揮することができるため、この金具部材１１を弾性体１６に埋設することなくピアス用キャッチの構成部品として単体で使用することもできる。この場合においても、金具部材１１を小さく形成していることにより、ピアス全体の装飾性を失うことなくピアス用キャッチとして使用価値を向上させることができる。
【産業上の利用可能性】
【００３９】
本発明のピアス用キャッチは、ピアス以外の各種の装身具にも利用でき、ピンを挿入して止着するタイプの装身具であれば、あらゆるタイプの装身具に応用できる。
【図面の簡単な説明】
【００４０】
【図１】本発明におけるピアス用キャッチの金具部材を示した斜視図である。
【図２】金具部材の縦断面図である。
【図３】図２のＡ−Ａ線拡大端面図である。
【図４】本発明のピアス用キャッチの縦断面図である。
【図５】図５のピアス用キャッチに被挿着ピンを装着した状態を示す縦断面図である。
【図６】従来のピアス用キャッチを示した縦断面図である。
【符号の説明】
【００４１】
１０  キャッチ本体
１１  金具部材
１２  基部
１３  ピン通過孔
１４  挟持片
１４ａ  リブ
１６  弾性体
１７  挿入部
１８  ピン挿入孔
１９  止着部
２０  被挿着ピン
【図１】
2007007025.tif 000003
【図２】
2007007025.tif 000004
【図３】
2007007025.tif 000005
【図４】
2007007025.tif 000006
【図５】
2007007025.tif 000007
【図６】
2007007025.tif 000008